(57)【要約】【課題】側壁３の強度を高めることにより座屈を生じにくくして、段積み数を増やして効果的な運搬ができる運搬用梱包材を提供する。【解決手段】台座部１と、その上面に設けられた物品の収納部２を備え、収納部２は、その側壁３が段ボール平板で形成されている。側壁３は、中間板３０と、その両側の側板３１，３２からなる平面視コ字形の第１および第２部材３Ａ，３Ｂを有し、この両部材３Ａ，３Ｂは、中間板同士が対向し、対応する側板同士が重合されて接合されている。【選択図】図３
2009057058.tif 000002
【特許請求の範囲】
【請求項１】
台座部１と、この台座部１の上面に支持されて物品を収納する収納部２とを備え、
前記収納部２は、その側壁３が段ボール平板３３からなり、
前記側壁３は、中間板３０と、その両側の側板３１，３２からなる平面視コ字形の第１および第２部材３Ａ，３Ｂを有し、
前記両部材３Ａ，３Ｂは、前記中間板３０，３０同士が対向し、対応する側板３１，３２同士が重合されて接合されている運搬用梱包材。
【請求項２】
請求項１において、さらに、前記第１および第２部材３Ａ，３Ｂの重合される側板３１，３２の間に補強板６が介挿されている運搬用梱包材。
【請求項３】
請求項１または２において、前記第１および第２部材３Ａ，３Ｂのそれぞれは、中間板３０と少なくとも一方の側板３２との間で折り畳み自在に設定されている運搬用梱包材。
【請求項４】
請求項３において、前記第１および第２部材３Ａ，３Ｂのそれぞれの中間板３０が、一方の側板３２との間の折り曲げ線ｂに近い方から、この折り曲げ線ｂと平行な第１ないし第３の折れ目ｄ１，ｄ２，ｄ３を有し、前記折り曲げ線ｂを中心にして一方の側板３２が折り曲げられ、前記中間板３０が、第２および第３の折れ目ｄ２，ｄ３でそれぞれ折り返されて、第１と第２の折れ目ｄ１，ｄ２の間の第１部分３０ａおよび第２と第３の折れ目ｄ２，ｄ３の間の第２部分３０ｂが、中間板３０の残りの第３部分３０ｃに重合され、第２および第３部分３０ｂ，３０ｃが前記一方の側板３２と第１部分３０ａとの間に折り込まれるように設定されている運搬用梱包材。
【発明の詳細な説明】
【技術分野】
【０００１】
本発明は、コンテナとして用いられる段ボールを利用した運搬用梱包材に関するものである。
【背景技術】
【０００２】
従来から、段ボールを利用した運搬用梱包材が知られている（特許文献１）。この運搬用梱包材は、台座部つまり運搬機のフォークを差し込む差込口を有するパレットと、その上面に支持された物品の収納部とからなり、この収納部は、その外周囲の側壁が段ボール平板により構成されている。
【特許文献１】特開平１０−２３０９３８号公報
【発明の開示】
【発明が解決しようとする課題】
【０００３】
物品の輸送時には、物品を運搬用梱包材内に収納し、これをトラックやコンテナなどに高さが許す限り段積みして輸送効率を高める。ところで、従来の運搬用梱包材は、その収納部の側壁が段ボール平板で形成されているので、上下方向の荷重に対する強度が低い。したがって、複数の梱包材を段積みして運搬するとき、下方段側の梱包材の側壁が上方からの荷重により座屈することがある。この座屈を防ぐためには、上段の梱包材内に軽い部品を収納して重量を小さくするか、段積み数を少なくする必要がある。
【０００４】
本発明は、側壁の強度を高めて、座屈が生じにくい運搬用梱包材を提供することを目的とする。
【課題を解決するための手段】
【０００５】
上記目的を達成するために、本発明にかかる運搬用梱包材は、台座部と、この台座部の上面に支持されて物品を収納する収納部とを備え、前記収納部は、その側壁が段ボール平板からなり、前記側壁は、中間板と、その両側の側板からなる平面視コ字形の第１および第２部材を有し、前記両部材は、前記中間板同士が対向し、対応する側板同士が重合されて接合されている。
【０００６】
上記構成によれば、側壁を構成する第１および第２部材の対応する側板同士が互いに重合して接合されているので、この接合された側板により側壁全体の強度が向上する。このため、梱包材の側壁に座屈が生じにくくなり、物品が収納された梱包材を段積みして運搬するような場合に好都合となる。
【０００７】
本発明の好ましい実施形態では、さらに、第１および第２部材の重合される側板の間に補強板が介挿されている。この構成によれば、補強板により側壁の強度がより高められる。
【０００８】
また、本発明の好ましい実施形態では、第１および第２部材のそれぞれが、中間板と少なくとも一方の側板との間で折り畳み自在に設定されている。この構成によれば、運搬用梱包材を運搬するとき、第１および第２部材を折り畳むことにより、側壁がコンパクトになって輸送に便利となる。
【０００９】
さらに、本発明の好ましい実施形態では、第１および第２部材のそれぞれの中間板が、一方の側板との間の折り曲げ線に近い方から、この折り曲げ線と平行な第１ないし第３の折れ目を有し、前記折り曲げ線を中心にして一方の側板が折り曲げられ、前記中間板が、前記第２および第３の折れ目でそれぞれ折り返されて、第１と第２の折れ目の間の第１部分および第２と第３の折れ目の間の第２部分が、中間板の残りの第３部分に重合され、第２および第３部分が前記一方の側板と第１部分との間に折り込まれるように設定されているｑ
【発明の効果】
【００１０】
本発明の運搬用梱包材によれば、側壁の強度を向上させることにより、側壁の座屈が生じにくく、段積み数を増やして効率的な運搬ができる。
【発明を実施するための最良の形態】
【００１１】
以下、本発明の好ましい実施形態を図面に基づいて説明する。
図１は本発明の第１実施形態である運搬用梱包材の正面図である。この梱包材は、台座部つまり運搬機のフォークが差し込まれる差込口１ａを有する平面視で矩形状のパレット１と、その上面に固定された矩形箱状の物品の収納部２とを備えている。図１のＡ−Ａ線、Ｂ−Ｂ線の断面図である図２および図３のように、前記収納部２は、外周囲を取り巻く側壁３と、この側壁３の底部に配置される底蓋４と、側壁３の上部に被嵌される上蓋５とを有している。
【００１２】
前記底蓋４は、平面視で矩形の底板４１と、その周囲に設けられた縁板４２とを有し、縁板４２の内側に矩形の側壁３が嵌め込まれて位置決めされている。前記上蓋５は、平面視で矩形の上板５１と、その周囲に設けられた周壁板５２とを有し、周壁板５２が側壁３の外側に被さるようにして、側壁３で囲まれた収納スペースＳの上方開口を覆う。
【００１３】
前記側壁３は、図４の平面図で示すように、第１および第２部材３Ａ，３Ｂを備えており、これら両部材３Ａ，３Ｂはそれぞれ、中間板３０と、その両側に中間板３０の水平な長さ方向（側壁３の周方向）に対し直交状に延びる組み立て用の第１および第２折り曲げ線ａ，ｂを介して連続状に設けられた第１および第２側板３１，３２とからなる。第１側板３１と第２側板３２の長さは、互いに同一であり、かつ中間板３０よりも短い。両部材３Ａ，３Ｂは、中間板３０の両側に第１，第２折り曲げ線ａ，ｂを中心に、第１および第２側板３１，３２がそれぞれ対向するように、平面視コ字形に屈曲されている。そして、両部材３Ａ，３Ｂの中間板３０同士を所定間隔をおいて対向させ、かつ、両部材３Ａ，３Ｂの第１．第２側板３１．３２同士をそれぞれ対向させて、これら側板３１，３２の全面を互いに接着剤または両面テープにより接合一体化させる。このように、両部材３Ａ，３Ｂの第１，第２側板３１，３２を接合して二層構造とすることにより、上下方向の荷重に対する両側板３１，３２の強度が向上する結果、側壁３全体の強度が向上して、座屈が生じにくくなる。
【００１４】
図５の平面図で示すように、前記側壁３は段ボール平板３３から構成されており、この段ボール平板３３は、ライナ３４と波形板３５を有する段ボール材３６の１枚ないし複数枚からなり、段ボール平板３３は側壁３としたとき、その波形板３５の目３７が上下方向に向かうように設定されている。このようにすることにより、上下方向の荷重に対する側壁３の強度が強化される。また、第１，第２折り曲げ線ａ，ｂが前記目３７の方向と一致するため、折り曲げが容易になる。好ましくは、側壁３だけではなく、底蓋４、上蓋５およびパレット１のそれぞれも段ボール材で形成する。その場合、荷重が作用する上下方向に段ボールの目を一致させるのがよい。
【００１５】
図６は前記側壁３を折り畳んだ状態を示す正面図である。側壁３の折り畳み時には、下側の第１部材３Ａの第１側板３１を組み立て用の第１折り曲げ線ａを中心に中間板３０と面一となるようにフラットに押し広げ、かつ、第２側板３２を組み立て用の第２折り曲げ線ｂを中心に中間板３０の上面側へと折り返す。また、上側の第２部材３Ｂの第１側板３１を第１折り曲げ線ａを中心に中間板３０と面一となるようにフラットに押し広げ、かつ、第２側板３２を第２折り曲げ線ｂを中心に中間板３０の下面側へと折り返す。そして、第１部材３Ａの折り返された第２側板３２が、第２部材３Ｂの第１側板３１と上下に対向し、かつ、第１部材３Ａの第１側板３１が、第２部材３Ｂの折り返された第２側板３２の部分と上下に対向するように重ね合わせる。このようにすれば、側壁３がコンパクトになって梱包材の輸送効率が高められる。
【００１６】
図７は第２実施形態にかかる運搬用梱包材を示しており、この梱包材は、第１および第２部材３Ａ，３Ｂの互いに重合される側壁３の第１，第２側板３１，３２の間にそれぞれ補強板６，６を介挿して接合一体化させるようにしている。このようにすれば、各側板３１，３２の間の補強板６により側壁３の強度がさらに高められる。補強板６も、目の方向か上下方向に向いた１枚以上の段ボール材で形成するのが好ましい。
【００１７】
図８は図７の補強板６を使用する場合の側壁３の折り畳み状態を示す正面図である。側壁３の折り畳み時には、図６の場合と同様に第１部材３Ａと第２部材３Ｂを折り畳む。そして、第１部材３Ａの中間板３０の上面に折り返された第２側板３２と、第２部材３Ｂの中間板３０と面一状に押し広げられた第１側板３１との対向部、ならびに、第１部材３Ａの中間板３０と面一状に押し広げられた第１側板３１と第２部材３Ｂの中間板３０の下面側に折り返された第２側板３２との対向部に、それぞれ前記補強板６を挟み込む。このようにすれば、補強板６を用いるにもかかわらず、側壁３の全体をコンパクトに折り畳める。
【００１８】
図９は第３実施形態にかかる運搬用梱包材の側壁を示しており、この側壁３は、第１および第２部材３Ａ，３Ｂにおける中間板３０の長さが長く設定され、全体が横方向Ｘに細長い長方形状とされている。この場合、各部材３Ａ，３Ｂをコンパクトに折り畳むために、次のようにする。つまり、図１０のように、第１，第２部材３Ａ，３Ｂに設けた各折り曲げ線ａ，ｂの間に、これらと平行に第２折り曲げ線ｂ側から第１折り曲げ線ａにかけて第１ないし第３の折れ目ｄ１，ｄ２，ｄ３を形成する。そして、下側の第１部材３Ａの第１側板３１を第１折り曲げ線ａを中心に中間板３０と面一状に押し広げ、かつ、第２側板３２を第２折り曲げ線ｂを中心に中間板３０の上面側へと折り返す。さらに、中間板３０を、第２の折り曲げ線ｂに隣接する第１折れ目ｄ１を中心に第２側板３２から下方に離間するように若干折り曲げた上で、この中間板３０の一部を第２，第３の折れ目ｄ２，ｄ３を中心に折り返して、第１と第２の折れ目ｄ１，ｄ２の間の第１部分３０ａおよび第２と第３の折れ目ｄ２，ｄ３の間の第２部分３０ｂが、第３の折れ目ｄ３から第１の折り曲げ線ａまでの、中間板３０の残りの第３部分３０ｃに重合するように折り畳む。これにより、重合された第２および第３部分３０ｂ，３０ｃが側板３２と第１部分３０ａとの間に折り込まれる。
【００１９】
同様に、上側の第２部材３Ｂの第１側板３１を第１折り曲げ線ａを中心に中間板３０と面一状に押し広げ、かつ、第２側板３２を第２折り曲げ線ｂを中心に中間板３０の下面側へと折り返す。さらに、中間板３０を、第２の折り曲げ線ｂに隣接する第１折れ目ｄ１を中心に第２側板３２から上方に離間するように若干折り曲げた上で、第１と第２の折れ目ｄ１，ｄ２の間の第１部分３０ａおよび第２と第３の折れ目ｄ２，ｄ３の間の第２部分３０ｂが、第３の折れ目ｄ３から第１の折り曲げ線ａまでの、中間板３０の残りの第３部分３０ｃに重合するように折り畳む。これにより、重合された第２および第３部分３０ｂ，３０ｃが側板３２と第１部分３０ａとの間に折り込まれる。
【００２０】
前記組み立て用の第１，第２折り曲げ線ａ，ｂおよび第１ないし第３の折れ目ｄ１，ｄ２，ｄ３は、例えば側壁３をダイ上において上部から罫線ロールを走らせることによって形成する。このとき、第１，第２折り曲げ線ａ，ｂおよび第１ないし第３の折れ目ｄ１，ｄ２，ｄ３は、側壁３の長さ方向に対し直交する方向、つまり前述した段ボール平板３３の目３７の方向と同一方向であるから、前記罫線ロールによって容易に形成できる。
【００２１】
なお、前記台座部１はパレットに限られるものではなく、収納部２を支持できる構造体であればよい。
【図面の簡単な説明】
【００２２】
【図１】本発明の第１実施形態にかかる運搬用梱包材の正面図である。
【図２】図１のＡ−Ａ線に沿った断面図である。
【図３】図１のＢ−Ｂ線に沿った断面図である。
【図４】側壁の平面図である。
【図５】側壁を構成する段ボール平板の平面図である。
【図６】側壁を折り畳んだ状態を示す正面図である。
【図７】第２実施形態にかかる運搬用梱包材の平面図である。
【図８】同実施形態において側壁を折り畳んだ状態を示す正面図である。
【図９】第３実施形態にかかる運搬用梱包材の平面図である。
【図１０】同実施形態において側壁を折り畳んだ状態を示す正面図である。
【符号の説明】
【００２３】
１  台座部（パレット）
２  物品の収納部
３  側壁
３Ａ  第１部材
３Ｂ  第２部材
６  補強板
３０  中間板
３０ａ〜３０ｃ  第１〜第３部分
３１，３２  第１および第２側板
３３  段ボール平板
ａ  第１の折り曲げ線
ｂ  第２の折り曲げ線
ｄ１〜ｄ３  第１〜第３の折り目
【図１】
2009057058.tif 000003
【図２】
2009057058.tif 000004
【図３】
2009057058.tif 000005
【図４】
2009057058.tif 000006
【図５】
2009057058.tif 000007
【図６】
2009057058.tif 000008
【図７】
2009057058.tif 000009
【図８】
2009057058.tif 000010
【図９】
2009057058.tif 000011
【図１０】
2009057058.tif 000012